(57)【要約】【課題】端子台または回路遮断器をブスバーに挿入するときに作業性が良く、また、クリップ端子とブスバーとの正常な電気的接触が保たれているか否かの識別が容易にできる信頼性の高い端子台、または回路遮断器を得る。【解決手段】略Ｕ字形状に形成されたクリップ端子３０を備え、このクリップ端子３０の開口部３４をブスバー５に嵌挿させてブスバー５を挟持する端子台１または回路遮断器１００において、クリップ端子３０の開口部寸法をスペーサ６を用いて、予め、所定の寸法に開口させた状態に係止させておくことにより、端子台１または回路遮断器１００をブスバー５に挿入するときの挿入抵抗を小さくするようにした。また、スペーサ６に表示手段６ｃを固着させ、端子台１または回路遮断器１００が挿入されたことが確認できるようにした。【選択図】        図１
2004363066.tif 000002
【特許請求の範囲】
【請求項１】
第１の圧接片と、第２の圧接片と、前記第１の圧接片と前記第２の圧接片を連結する連結片とにより一体的に略Ｕ字形状に形成されたクリップ端子を備え、このクリップ端子の開口部にブスバーを嵌挿させて前記第１の圧接片の圧接部と前記第２の圧接片の圧接部の圧接力によって前記ブスバーを挟持する端子台において、
前記ブスバーを挟持しないときに前記クリップ端子の開口部を所定の寸法に開口させた状態に係止するスペーサを備えたことを特徴とする端子台。
【請求項２】
第１の圧接片の圧接部と第２の圧接片の圧接部の夫々にブスバーの嵌挿方向と略平行に前記圧接部を分割するスリットを設けたことを特徴とする請求項１に記載の端子台。
【請求項３】
第１の圧接片と第２の圧接片はブスバーとの接触部からブスバーの嵌挿方向に向って広がるように形成されていることを特徴とする請求項１または請求項２記載の端子台。
【請求項４】
第１の圧接片の圧接部と第２の圧接片の圧接部のブスバーとの接触部に打出し凸部を配設したことを特徴とする請求項１から請求項３のいずれか１項に記載の端子台。
【請求項５】
ブスバーを挟持する方向に打出し凸部を付勢する円弧バネを配設したことを特徴とする請求項４に記載の端子台。
【請求項６】
第１の圧接片と第２の圧接片にブスバーの嵌挿方向に略平行にガイド溝を配設すると共に、スペーサに前記ガイド溝に嵌挿されて前記ブスバー挿入方向に摺動するガイドを配設したことを特徴とする請求項１から請求項５のいずれか１項に記載の端子台。
【請求項７】
スペーサをブスバーの反嵌挿方向に押圧するコイルバネを配設したことを特徴とする請求項１から請求項６のいずれか１項に記載の端子台。
【請求項８】
スペーサを非磁性材料で形成させたことを特徴とする請求項１から請求項７のいずれか１項に記載の端子台。
【請求項９】
端子台にブスバーに嵌挿されたことを表示する表示手段を前記端子台に備えたことを特徴とする請求項１から請求項８のいずれか１項に記載の端子台。
【請求項１０】
表示手段は、ブスバーに押圧されてブスバーの押圧方向に移動するプッシュロッドと、このプッシュロッドを前記ブスバーの反押圧方向に付勢する押しバネと、前記プッシュロッドに押圧されて突出する表示ピースとにより構成されることを特徴とする請求項９に記載の端子台。
【請求項１１】
表示手段は、スペーサに固着されこのスペーサと一体的に移動する表示ロッドであることを特徴とする請求項９に記載の端子台。
【請求項１２】
請求項１から請求項１１のいずれか１項に記載の端子台を具備する回路遮断器。
【発明の詳細な説明】
【０００１】
【発明の属する技術分野】
この発明は、分電盤などに装着されるプラグイン方式の端子台またはこの端子台を具備する回路遮断器に関するものである。
【０００２】
【従来の技術】
従来の分電盤などに装着され、電路に過電流が流れたときに周知の引き外し動作により電路を遮断するプラグイン方式の回路遮断器にはブスバーに直接差し込むためのクリップ端子を有する端子台が装着されている。このクリップ端子はリン青銅等の板ばね材料が用いられ、各々がほぼ同一のくちばし形状となるように成形され、安定した接触圧力でブスバーに挟持させるためにブスバーの厚さに対して隙間を狭くした構成にしている（例えば、特許文献１参照）。
【０００３】
【特許文献１】
特開２００２−２３７２４８（図３）
【０００４】
【発明が解決しようとする課題】
従来のクリップ端子を有する端子台は以上のように構成されており、端子台をブスバーに挿入するときにクリップ端子を押し広げるための荷重が挿入抵抗となって、作業性が悪いという課題があった。
また、その挿入抵抗に対して無理やり挿入しようとすると、クリップ端子を変形させてしまう課題があった。
さらにまた、挿入力の大きな大形の回路遮断器においては、回路遮断器を取付ける時に回路遮断器が取付けられる取付板を変形させてしまうことがあり、クリップ端子とブスバーとの間の正常な電気的接触が保たれているか否かの識別が困難であるという課題もあった。
【０００５】
この発明は、上述のような課題を解決するためになされたもので、クリップ端子の開口部をブスバーに嵌挿させ、圧接力によってブスバーを挟持する端子台または端子台を具備する回路遮断器において、端子台または端子台を具備する回路遮断器の取り付けを容易にすると共に、正常にブスバーに挿入されているか否かを容易に確認できるようにすることにより、クリップ端子とブスバーとの電気的接触を安定化させることを目的としている。
【０００６】
【課題を解決するための手段】
この発明に係る端子台または端子台を具備する回路遮断器は、第１の圧接片と、第２の圧接片と、前記第１の圧接片と前記第２の圧接片を連結する連結片とにより一体的に略Ｕ字形状に形成されたクリップ端子を備え、このクリップ端子の開口部をブスバーに嵌挿させて前記第１の圧接片の圧接部と前記第２の圧接片の圧接部の圧接力によって前記ブスバーを挟持する端子台または端子台を具備する回路遮断器において、前記ブスバーを挟持しないときに前記クリップ端子の開口部を所定の寸法に開口させた状態に係止するスペーサを備えたものである。
【０００７】
【発明の実施の形態】
実施の形態１．
図１はこの発明の実施の形態１における回路遮断器の一部断面側面図、図２は図１の要部拡大斜視図、図３は図１のスペーサの拡大斜視図、図４は図１のクリップ端子単体の拡大断面側面図である。
【０００８】
図１から図４において、電路（図示しない）に過電流が流れたときに周知の引き外し動作により電路を遮断する回路遮断器１００に配設された端子１０１に、端子台１の導体２をネジ１０２により固着している。
導体２にはクリップ端子３０がネジ４により固着され、このクリップ端子３０をブスバー５に嵌挿することにより回路遮断器１００は電路の電源側であるブスバー５に電気的に接続される。
【０００９】
クリップ端子３０は、第１の圧接片３１と第２の圧接片３２と第１の圧接片３３と第２の圧接片３２を連結する連結片３３とにより一体的に略Ｕ字形状に形成されており、このクリップ端子３０の開口部３４をブスバー５に嵌挿させて第１の圧接片３１の圧接部３１ａと第２の圧接片３２の圧接部３２ａの挟持力によってブスバー５を挟持する。
【００１０】
このクリップ端子３０にはブスバー５を嵌挿する前の状態において、第１の圧接片３１の圧接部３１ａと第２の圧接片３２の圧接部３２ａの圧接力に抗してクリップ端子３０の開口部３４の寸法を所定の寸法（後述の図５のＡ）に開口させた状態に係止するスペーサ６を備えており、スペーサ６の当接面６ｂが第１の圧接片３１の当接面３１ｂ及び第２の圧接片３２の当接面３２ｂに当接する。
なお、スペーサ６は例えば、黄銅やオーステナイト系のステンレス材料により形成されており、非磁性体材料で形成させることで、ブスバー５からクリップ端子３０に流れる電流による電磁力により、スペーサ６が振動して発音することを防止する。
【００１１】
第１の圧接片３１と第２の圧接片３２は開口部３４からブスバー５の嵌挿方向に向って広がるように形成されており、ブスバー５の嵌挿方向に略平行にガイド溝３６が配設され、圧接部３１ａ、圧接部３２ａにはブスバー５との接触面を半円筒形状に打出した打出し凸部３５が配設されている。なお、打出し凸部３５の形状は球面状でも良い。
【００１２】
スペーサ６には第１の圧接片３１と第２の圧接片３２に配設されたガイド溝３６に嵌挿されてブスバー５の挿入方向に摺動するガイド６ａが配設されている。
また、端子台１は、ブスバー５に嵌挿したときにブスバー５に嵌挿したことを表示する表示手段７０を具備しており、この表示手段７０は、ブスバー５に押圧されてブスバー５の押圧方向に移動するプッシュロッド７１と、このプッシュロッド７１をブスバー５の反押圧方向に付勢する押しバネ７２と、プッシュロッド７１に押圧されて突出する表示ピース７３とを備えている。
【００１３】
図５は実施の形態１における端子台をブスバーに嵌挿させるときの動作を説明する一部断面拡大図で（ａ）はブスバー嵌挿前及び嵌挿開始時（ｂ）はブスバー嵌挿後を示す。
次に、本図を用いて実施の形態１における端子台をブスバーに嵌挿させるときの動作を説明する。
【００１４】
クリップ端子３０の開口部３４がスペーサ６により所定の寸法（Ａ）に開口させられた状態で端子台１をブスバー５に対して矢印Ｂ方向に嵌挿開始すると、ブスバー５のラウンド部５ａが打出し凸部３５に当接する。
さらに端子台１を矢印Ｂ方向に嵌挿すると、第１の圧接片３１の圧接部３１ａと第２の圧接片３２の圧接部３２ａの挟持力に抗して、ラウンド部５ａが打出し凸部３５を摺動しながら端子台１はブスバー５に嵌挿される。このとき、打出し凸部３５とラウンド部５ａは半円筒形状または球面形状に形成されているのでスムーズに摺動する。
【００１５】
さらに端子台１を矢印Ｂ方向に嵌挿すると、ラウンド部５ａがスペーサ６に当接する。
さらに端子台１を矢印Ｂ方向に嵌挿すると、第１の圧接片３１と第２の圧接片３２は開口部３４からブスバー５の嵌挿方向に向って広がるように形成されているので、第１の圧接片３１の当接面３１ｂ及び第２の圧接片３２の当接面３２ｂとスペーサ６の当接面６ｂとのに当接が解除された後、スペーサ６はラウンド部５ａと一体的にブスバー５の嵌挿方向にスムーズに移動し、ブスバー５は第１の圧接片３１の圧接部３１ａと第２の圧接片３２の圧接部３２ａの挟持力により挟持される。
【００１６】
このとき、ブスバー５の板厚寸法Ｃはクリップ端子３０が単体のとき（図４に示す）の開口部３４の寸法Ｄと比較するとＤ＜Ｃであるため、端子台１はブスバー５に大きな挟持力により挟持する。
また、嵌挿時において、第１の圧接片３１と第２の圧接片３２に配設されたガイド溝３６に沿ってスペーサ６のガイド６ａが摺動するのでスペーサ６が傾くことなくスムーズに摺動する。
【００１７】
端子台１が所定の位置まで嵌挿されると、ブスバー５によりプッシュロッド７１が押しバネの付勢力に抗してブスバー５の嵌挿方向に移動し、プッシュロッド７１に押圧されて表示ピース７３が端子台１から突出する。
【００１８】
以上のように構成された端子台１は、クリップ端子３０の開口部３４の寸法がスペーサ６によって、予め、所定の寸法に開口させた状態に係止されているので、ブスバー５に端子台１を嵌挿するときの挿入抵抗を小さくすることができる。
従って、端子台１の取り付けが容易であり、無理な挿入によるクリップ端子３０の変形を抑制し、作業性が良く、信頼性の高い端子台１を得ることができる。
【００１９】
また、端子台１をブスバー５に嵌挿したとき、ブスバー５が正常な位置まで挿入された場合は、端子台１の表面から表示ピース７３が突出することで、正常に端子台１が挿入できたことを認識することができ、クリップ端子３とブスバー５との間の正常な電気的接触が保たれているか否かの識別ができる。
なお、上記実施の形態では表示手段７０の動作を直接端子台１の表面に突出させたが、別部材を設けるなどして、別の形態、例えば回路遮断器１００の表面に突出させるようにしても良い。
また、表示手段７０は、端子台１が複数極の場合はいずれかの極に１つ配設しておいても良いが、複数個配設することにより挿入に対する認識精度を向上させることができる。
【００２０】
実施の形態２．
図６は、この発明の実施の形態２における回路遮断器の一部断面側面図、図７は図６の要部拡大斜視図、図８はスペーサの拡大斜視図、図９はクリップ端子単体の拡大断面側面図、図１０は表示手段の構成を示す拡大斜視図である。
【００２１】
図において、実施の形態１と同等または相当部品については同一番号を付し説明を省略する。
第１の圧接片３１の圧接部３１ａと第２の圧接片３２の圧接部３２ａの夫々にブスバー５の挿入方向と略平行に圧接部３１ａを分割するスリット３１ｂ、圧接部３２ａを分割するスリット３２ｂが設けられ、分割された圧接部３１ａ、圧接部３２ａの夫々のブスバー５との接触面には半円筒形状または球面形状に打出した打出し凸部３５が配設されている。
【００２２】
また、圧接部３１ａ、圧接部３２ａの夫々の凸部３５の板厚方向の裏面には凹部３５ａが配設され、この凹部３５ａに略Ｃ字形状に形成された円弧バネ７の両端面が嵌挿され、第１の圧接片３１の圧接部３１ａと第２の圧接片３２の圧接部３２ａのブスバー５を挟持する挟持力をバックアップするようにしている。
なお、円弧バネ７は上述した実施の形態１にも同様に配設することができることは言うまでもない。
【００２３】
また、スペーサ６とクリップ端子３０の連結片３３との間にはブスバー５の反嵌挿方向に押圧するコイルバネ８が配設されている。
なお、このコイルバネ８による付勢力は、スペーサ６の自重よりも大きく、また、第１の圧接片３１の圧接部３１ａと第２の圧接片３２の圧接部３２ａのブスバー５を挟持する挟持力に抗してスペーサ６をブスバー５の反嵌挿方向に摺動できる値に設定されている。
【００２４】
スペーサ６には、クリップ端子３０をブスバー５に嵌挿したときにブスバー５に嵌挿したことを表示する表示手段としての表示ロッド６ｃが固着されている。
なお、この表示ロッド６ｃは、端子台１が複数極の場合はいずれかの極に１つ配設しておいても良いが、複数個配設することにより挿入に対する認識精度を向上させることができる。
【００２５】
図１１は実施の形態２における端子台をブスバーに嵌挿させるときの動作を説明する一部断面拡大図で（ａ）はブスバー嵌挿前及び嵌挿開始時（ｂ）はブスバー嵌挿後を示す。なお、図において、実施の形態１と同等または相当部品については同一番号を付し説明を省略する。
【００２６】
最初に、端子台１をブスバー５に嵌挿する場合について説明する。
クリップ端子３０の開口部３４がスペーサ６により所定の寸法（Ａ）に開口させられた状態で、端子台１をブスバー５に対して矢印Ｂ方向に嵌挿開始すると、ブスバー５のラウンド部５ａが打出し凸部３５に当接する。
【００２７】
さらに端子台１を矢印Ｂ方向に嵌挿すると、第１の圧接片３１の圧接部３１ａと第２の圧接片３２の圧接部３２ａの挟持力に抗して、ラウンド部５ａが打出し凸部３５の摺動しながら端子台１はブスバー５に嵌挿される。このとき、打出し凸部３５とラウンド部５ａは半円筒形状または球面形状に形成されているのでスムーズに摺動する。
【００２８】
さらに端子台１を矢印Ｂ方向に嵌挿すると、ラウンド部５ａがスペーサ６に当接する。
さらに端子台１を矢印Ｂ方向に嵌挿すると、第１の圧接片３１の当接面３１ｂ及び第２の圧接片３２の当接面３２ｂとスペーサ６の当接面６ｂとの当接が解除された後、スペーサ６はコイルバネ８による付勢力に抗してブスバー５のラウンド部５ａに接した状態でブスバー５の嵌挿方向にスムーズに移動し、ブスバー５は第１の圧接片３１の圧接部３１ａと第２の圧接片３２の圧接部３２ａの挟持力により挟持される。
端子台１が所定の位置まで嵌挿されると、スペーサ６に固着された表示手段である表示ロッド６ｃが端子台１から突出する。
【００２９】
以上のように構成された端子台１は、クリップ端子３０の開口部３４の寸法がスペーサ６によって、予め、所定の寸法に開口させた状態に係止されているので、ブスバー５に端子台１を嵌挿するときの挿入抵抗を小さくすることができる。
第１の圧接片３１の圧接部３１ａと第２の圧接片３２の圧接部３２ａの夫々にブスバー５の挿入方向と略平行にスリット３１ｂ，３２ｂを設けて、圧接部３１ａ，３２ａを分割しているので、分割された夫々の圧接部が別々にブスバー５を挟持するため、安定した荷重でブスバー５を挟持する。
従って、例えば、大形の端子台１または端子台を具備する回路遮断器１００であっても取り付けが容易であり、無理な挿入によるクリップ端子３０の変形を抑制し、作業性が良く、信頼性の高い端子台１を得ることができる。
【００３０】
また、端子台１をブスバー５に嵌挿したとき、ブスバー５が正常な位置まで挿入された場合は、端子台１の表面から表示手段である表示ロッド６ｃが突出することで、正常な挿入ができたことを認識することができ、クリップ端子３とブスバー５との間の正常な電気的接触が保たれているか否かの識別ができる。
以上のように、この実施の形態２における端子台１または端子台を具備する回路遮断器１００はスペーサ６に表示ロッド６ｃを固着するという簡単な構成で表示手段を形成している。
【００３１】
つぎに、端子台１をブスバー５から引出す場合について説明する。
端子台１を矢印Ｅ方向に引出すと、スペーサ６はコイルバネ８により付勢されているのでブスバー５のラウンド部５ａに接した状態でブスバー５の引出し方向にスムーズに移動した後、第１の圧接片３１の当接面３１ｂ、及び第２の圧接片３２の当接面３２ｂとスペーサ６の当接面６ｂが当接したときに、クリップ端子３０の開口部３４がスペーサ６により所定の寸法（Ａ）に開口させられた状態で係止される。
【００３２】
さらに引出すと、端子台１はラウンド部５ａが打出し凸部３５を摺動しながら移動し、端子台１はブスバー５から開離する。
このとき、クリップ端子３０の開口部３４がスペーサ６により所定の寸法（Ａ）に開口させられた状態で係止されているので、小さい引き抜き荷重で引き抜くことができる。
【００３３】
同様にして、繰り返して嵌挿、引出しする場合においても、コイルバネ８の作用によりクリップ端子３０の開口部３４がスペーサ６により所定の寸法（Ａ）に開口させられた状態で係止されるので、端子台１はブスバー５に容易に嵌挿、引出しを行なうことができる。
【００３４】
【発明の効果】
この発明は以上説明したように、第１の圧接片と、第２の圧接片と、第１の圧接片と第２の圧接片を連結する連結片とにより一体的に略Ｕ字形状に形成されたクリップ端子を備え、このクリップ端子の開口部をブスバーに嵌挿させて第１の圧接片の圧接部と第２の圧接片の圧接部の圧接力によって前記ブスバーを挟持する端子台または回路遮断器において、ブスバーを挟持しないときにクリップ端子の開口部を所定の寸法に開口させた状態に係止するスペーサを備えたので、ブスバーに端子台または回路遮断器を嵌挿するときの挿入抵抗を小さくすることができ、端子台または回路遮断器の取り付けが容易であり、無理な挿入によるクリップ端子の変形を抑制し、信頼性の高い端子台または回路遮断器を得ることができる。
【図面の簡単な説明】
【図１】この発明の実施の形態１における回路遮断器の一部断面側面図である。
【図２】この発明の実施の形態１における端子台の要部拡大斜視図である。
【図３】この発明の実施の形態１におけるスペーサの拡大斜視図である。
【図４】この発明の実施の形態１におけるクリップ端子単体の拡大断面側面図である。
【図５】この実施の形態１における端子台をブスバーに嵌挿させるときの動作を説明する一部断面拡大図で（ａ）はブスバー嵌挿前及び嵌挿開始時（ｂ）はブスバー嵌挿後を示す。
【図６】この発明の実施の形態２における回路遮断器の一部断面側面図である。
【図７】この発明の実施の形態２における端子台の要部拡大斜視図である。
【図８】この発明の実施の形態２におけるスペーサの拡大斜視図である。
【図９】この発明の実施の形態２におけるクリップ端子単体の拡大断面側面図である。
【図１０】この発明の実施の形態２における表示手段の構成を示す拡大斜視図である。
【図１１】この実施の形態２における端子台をブスバーに嵌挿させるときの動作を説明する一部断面拡大図で（ａ）はブスバー嵌挿前及び嵌挿開始時（ｂ）はブスバー嵌挿後を示す。
【符号の説明】
１  端子台、５  ブスバー、６  スペーサ、６ａ  ガイド、
６ｃ  表示ロッド（表示手段）、７  円弧バネ、８  コイルバネ、
３０  クリップ端子、３１  第１の圧接片、３１ａ  圧接部、
３２  第２の圧接片、３２ａ  圧接部、３４  開口部、３５  打出し凸部、
３６  ガイド溝、７０  表示手段、７１  プッシュロッド、
７２  押しバネ、７３  表示ピース、１００  回路遮断器。
【図１】
2004363066.tif 000003
【図２】
2004363066.tif 000004
【図３】
2004363066.tif 000005
【図４】
2004363066.tif 000006
【図５】
2004363066.tif 000007
【図６】
2004363066.tif 000008
【図７】
2004363066.tif 000009
【図８】
2004363066.tif 000010
【図９】
2004363066.tif 000011
【図１０】
2004363066.tif 000012
【図１１】
2004363066.tif 000013